(57)【要約】      （修正有）【課題】搬送用パレット上に固定された組み立て式搬送用コンテナケースのケース内に、積載した貨物を覆うネットを堅牢に緊締し、ケース内の貨物を簡単・確実に荷崩れ防止ができ、その作業性もよい搬送用コンテナを提供する。【解決手段】搬送用パレット２上に固定された組み立て式搬送用コンテナケース１において、該コンテナケース１内に、積載した貨物Ｘを覆う荷崩れ防止用ネットと、該ネットから延びる複数本の固定部材と、これら複数本の固定部材を緊締し、前記パレット２に設ける複数の被固定部材５からなる。【選択図】図４
0003203005.tif 000002
【実用新案登録請求の範囲】
【請求項１】
搬送用パレット（２）上に固定された組み立て式搬送用コンテナケース（１）において、
該コンテナケース（１）内に、積載した貨物（Ｘ）を覆う荷崩れ防止用ネット（３）と、
該ネット（３）から延びる複数本の固定部材（４）と、
これら複数本の固定部材（４）を緊締し、前記パレット（２）に設ける複数の被固定部材（５）からなる
ことを特徴とする搬送用コンテナ。
【請求項２】
前記被固定部材（５）が、前記パレット（２）の上面外周付近に設けられ、
長尺底板フレーム（５ａ）上に、所定位置に空隙部（６）を有する縦フレーム（５ｂ）を立設・固定してなり、
前記空隙部（６）に逆Ｕ字状金具（５ｃ）を設けたものである
ことを特徴とする請求項１記載の搬送用コンテナ。
【考案の詳細な説明】
【技術分野】
【０００１】
この考案は、搬送用コンテナに関するものである。
【背景技術】
【０００２】
従来、陸路では貨物自動車・列車等で、水路ではコンテナ船、空路では航空貨物等でそれぞれ貨物を搬送しており、これらの貨物は、パレットと一体に構成される搬送コンテナが使用され、該コンテナ内に貨物を積層して入れ搬送している。
【０００３】
しかし、コンテナ内で貨物が隙間があるように搭載された場合、搬送中にコンテナ内を移動してしまい、場合によっては貨物の転倒により破損・損壊する恐れがあった。
【０００４】
そこで、搬送中、コンテナ内に貨物が移動しても荷崩れしないようにストレッチフィルムやベルト等で貨物を縛り付けることを行なっているが、作業性が極めて悪いものであった。
【０００５】
また、パレット上の積載物を覆うようにネットを掛け、荷崩れ防止ネットは存在する。例えば、特許文献１のように。
【先行技術文献】
【特許文献】
【０００６】
【特許文献１】実用新案登録第３１３５１２４号公報
【０００７】
しかし、この技術は、本願発明のように、搬送パレット上に固定された組み立て式搬送用コンテナケースのケース内において荷崩れ防止をするネット設けたという思想ではなく、単にパレット上放置された積載物に対して、荷崩れ防止あるいは盗難防止のためネット外周縁に金属製のロープを重りとして用いた構成のものであり、航空便に搭載する際には重量が増してしまい思わしくない。
【０００８】
さらに、先行技術文献は、積載貨物が少量の場合には、ネットの中間部に設けたロープで縛ることにより荷崩れを防止するよう構成されたものであり、その作業も煩雑であった。
【考案の概要】
【考案が解決しようとする課題】
【０００９】
そこで、この考案の課題は、搬送用パレット上に固定された組み立て式搬送用コンテナケースのケース内に、積載した貨物を覆うネットを堅牢に緊締し、ケース内の貨物を簡単・確実に荷崩れ防止ができ、その作業性もよい搬送用コンテナを開発・提供することにある。
【課題を解決するための手段】
【００１０】
この考案の搬送用コンテナは、
搬送用パレット上に固定された組み立て式搬送用コンテナケースにおいて、
該コンテナケース内に、積載した貨物を覆う荷崩れ防止用ネットと、
該ネットから延びる複数本の固定部材と、
これら複数本の固定部材を緊締し、前記パレットに設ける複数の被固定部材からなる
ことを特徴とする。
【００１１】
また、
前記被固定部材が、前記パレットの上面外周付近に設けられ、
長尺底板フレーム上に、所定位置に空隙部を有する縦フレームを立設・固定してなり、  前記空隙部に逆Ｕ字状金具を設けたものである
ことを特徴とする。
【考案の効果】
【００１２】
この考案によると、コンテナのケース（１）内の貨物（Ｘ）にネット（３）を被せて緊締して固定するため、該ケース内で貨物の移動がなく、確実に固定される結果、荷崩れを生じないとの有益なる効果を奏する。
【００１３】
また、該ネット（３）は、不要な際には一部の固定部材（４）をパレット（２）形成された被固定部材（５）に固定しておけば、ネット（３）とパレット（２）とが分離することがなく、従って、ネットを紛失しない等の極めて有益なる効果を奏する。
【００１４】
さらに、被固定部材（５）の縦フレーム（５ｂ）には、空隙部（６）に逆Ｕ字状金具（５ｃ）を形成したため、貨物（Ｘ）にネット（３）を掛け、固定部材（４）を用いて固定したか、否か、がケース（１）の外部から簡単に判明でき、防止を防ぐことができる等の効果を奏する。
【００１５】
また、被固定部材（５）は、パレット（２）上に位置するケース（１）の側板（１ａ）の真下に位置しているため、ケース（１）内の貨物（Ｘ）の量を邪魔しない等の効果を有する。
【図面の簡単な説明】
【００１６】
【図１】この考案に使用する被固定部材の一実施例であって、（Ａ）は、正面図であり、（Ｂ）は、平面図である。
【図２】この考案の使用状態の一実施例を示す一部欠截正面図である。
【図３】この考案の使用状態を示す斜視図である。
【図４】この考案の使用状態を示し、ケースで囲った状態の斜視図である。
【考案を実施するための形態】
【００１７】
以下、この考案について詳細に説明する。尚、この考案においては、以下の記述に限定されるものではなく、この発明の要旨を逸脱しない範囲においては適宜変更可能である。
【実施例】
【００１８】
先ず、この考案の一実施例を図面に基づいて詳述すると、搬送用パレット（２）上に固定された組み立て式搬送用コンテナケース（１）において、該コンテナケース（１）内に、積載した貨物（Ｘ）を覆う荷崩れ防止用ネット（３）と、該ネット（３）から延びる複数本の固定部材（４）と、これら複数本の固定部材（４）を緊締し、前記パレット（２）に設ける複数の被固定部材（５）からなることを特徴とする搬送用コンテナである。
【００１９】
さらに、前記被固定部材（５）が、前記パレット（２）の上面外周付近に設けられ、長尺底板フレーム（５ａ）上に、所定位置に空隙部（６）を有する縦フレーム（５ｂ）を立設・固定してなり、前記空隙部（６）に逆Ｕ字状金具（５ｃ）を設けたものであることを特徴とする搬送用コンテナである。
【００２０】
また、前記固定部材（４）は、搬送用パレット（２）上の外周部付近に、ロ字状に形成したものを図３，図４で示したが、後部側板側を除くコ字状に形成したものであってもよよい。
【００２１】
なお、前記組み立て式の搬送用コンテナケース（１）の一例を述べると、該コンテナの形状は無底の略箱型状であり、搬送用パレット（２）上で該コンテナのケースの一部材（例えば、後部側板の下端面）と蝶番にて倒立可能に固定して設置されており、左・右側面板は、前記後部側板の左・右側と蝶番にて開閉自在に固定して設置されており、前部側板と上面板とが蝶番にて固定されており、前部側板の下端が被固定部材（５）上に載置され、前部側板は、被固定部材（５）の縦フレーム（５ｂ）上に、凹状の溝（図示せず）に嵌着されるものである。
【００２２】
そして、貨物（Ｘ）の搬送時には、搬送用パレット（２）上で、前記ケース（１）の左・右側面板をそれぞれ左・右方向に開き、その状態で後部側板を、パレット（２）面に対して９０°起こす。そして、その状態でケース内部に貨物（Ｘ）を積載し、該貨物にネット（３）で覆い、ネットに設けた複数の、例えばベルト状、ロープ状等の固定部材（４）を、パレット（２）側の逆Ｕ字状金具（５ｃ）に巻回して引っ張り、固定する。
【００２３】
さらに、左・右側面板をそれぞれパレットの指定位置に固定して組み立て、最後に、上面板と前部側板を被冠して、貨物をケース内部内に納めるものである。
【産業上の利用可能性】
【００２４】
この考案のネットを備えた搬送用コンテナの技術を確立し、実施することにより、産業上利用できるものである。
【符号の説明】
【００２５】
１  コンテナケース
１ａ  側板
２  パレット
３  ネット
４  固定部材
５  被固定部材
５ａ  長尺底板フレーム
５ｂ  縦フレーム
５ｃ  逆Ｕ字状金具
６  空隙部
Ｘ  貨物
【図１】
0003203005.tif 000003
【図２】
0003203005.tif 000004
【図３】
0003203005.tif 000005
【図４】
0003203005.tif 000006